(57)【要約】【課題】本発明の課題は、簡便な貸出管理システム、および、その方法を提供することである。【解決手段】開錠要求の入力を受け付けて、保管品のＩＣタグが記憶するＩＣタグ識別情報を読み取って、保管品識別情報と保管庫を特定する情報と開錠情報とを含む保管データを作成して、開錠する開錠手段と、施錠要求の入力を受け付けて、保管品のＩＣタグが記憶するＩＣタグ識別情報を読み取って、保管品識別情報と保管庫を特定する情報と施錠情報を含む保管データを作成して、施錠する施錠手段と、前記作成した保管データを、携帯記憶媒体に、送信する保管データ送信手段と、を備えるＩＣカード開閉式保管庫と、ＩＣカード開閉式保管庫から、前記保管データを受信して、保管品識別情報と保管庫を特定する情報と利用者識別情報と含む貸出データを作成して、記憶する携帯記憶媒体と、から構成される貸出管理システムである。【選択図】図１
2007302400.tif 000002
【特許請求の範囲】
【請求項１】
携帯記憶媒体とＩＣタグを有する保管品を保持するＩＣカード開閉式保管庫とから構成されるＩＣタグとＩＣカードを用いた貸出管理システムであって、
前記携帯記憶媒体は、
保管品識別情報と保管庫を特定する情報と利用者識別情報と含む貸出データを、記憶する記憶手段と、
ＩＣカード開閉式保管庫から、保管データを受信して、記憶手段に、保持する保管データ受信手段と、
前記保持された保管データを用いて、貸出データを作成する貸出データ作成手段と、
を備える記憶媒体であって、
ＩＣカード開閉式保管庫は、
開錠要求の入力を受け付ける開錠要求受付手段と、
保管品のＩＣタグが記憶するＩＣタグ識別情報を読み取るＩＣタグ読取手段と、
前記読み取ったＩＣタグ識別情報を用いて、保管品識別情報と保管庫を特定する情報と開錠情報とを含む保管データを作成する開錠時保管データ作成手段と、
受け付けた開錠要求を受け取って、開錠する開錠手段と、
施錠要求の入力を受け付ける施錠要求受付手段と、
受け付けた施錠要求を受け取って、施錠手段と、
読み取ったＩＣタグ識別情報を用いて、保管品識別情報と保管庫を特定する情報と施錠情報を含む保管データを作成する施錠時保管データ作成手段と、
前記作成した保管データを、携帯記憶媒体に、送信する保管データ送信手段と、
を備える保管庫である、
ことを特徴とするＩＣタグとＩＣカードを用いた貸出管理システム。
【請求項２】
携帯記憶媒体とＩＣタグを有する保管品を保持するＩＣカード開閉式保管庫とから構成されるＩＣタグとＩＣカードを用いた貸出管理システムであって、
前記携帯記憶媒体は、
保管品識別情報と保管庫を特定する情報と利用者識別情報と含む貸出データを、記憶する記憶手段と、
ＩＣカード開閉式保管庫から、貸出データを受信して、記憶手段に、保持する貸出データ受信手段と、
を備える記憶媒体であって、
ＩＣカード開閉式保管庫は、
保管品識別情報と保管庫を特定する情報と含み、開錠情報、または、施錠情報の一方を含む保管データを、記憶する記憶手段と、
開錠要求の入力を受け付ける開錠要求受付手段と、
保管品のＩＣタグが記憶するＩＣタグ識別情報を読み取るＩＣタグ読取手段と、
読み取ったＩＣタグ識別情報を用いて、保管品識別情報と保管庫を特定する情報と開錠情報とを含む保管データを作成して、記憶手段に、保持する開錠時保管データ作成手段と、
受け付けた開錠要求を受け取って、開錠する開錠手段と、
施錠要求の入力を受け付ける施錠要求受付手段と、
受け付けた施錠要求を受け取って、施錠する施錠手段と、
読み取ったＩＣタグ識別情報を用いて、保管品識別情報と保管庫を特定する情報と施錠情報とを含む保管データを作成して、記憶手段に、保持する施錠時保管データ作成手段と、
前記保持された保管データを用いて、貸出データを作成する貸出データ作成手段と、
作成した貸出データを、携帯記憶媒体に、送信する貸出データ送信手段と、
を備える保管庫である、
ことを特徴とするＩＣタグとＩＣカードを用いた貸出管理システム。
【請求項３】
携帯記憶媒体とＩＣタグを有する保管品を保持するＩＣカード開閉式保管庫とから構成されるＩＣタグとＩＣカードを用いた貸出管理システムであって、
前記携帯記憶媒体は、
保管品識別情報と保管庫を特定する情報と含み、開錠情報、または、施錠情報の一方を含む保管データを、記憶する記憶手段と、
ＩＣカード開閉式保管庫から、保管データを受信して、記憶手段に、保持する保管データ受信手段と、
を備える記憶媒体であって、
ＩＣカード開閉式保管庫は、
開錠要求の入力を受け付ける開錠要求受付手段と、
保管品のＩＣタグが記憶するＩＣタグ識別情報を読み取るＩＣタグ読取手段と、
前記読み取ったＩＣタグ識別情報を用いて、保管品識別情報と保管庫を特定する情報と開錠情報とを含む保管データを作成する開錠時保管データ作成手段と、
受け付けた開錠要求を受け取って、開錠する開錠手段と、
施錠要求の入力を受け付ける施錠要求受付手段と、
受け付けた施錠要求を受け取って、施錠手段と、
読み取ったＩＣタグ識別情報を用いて、保管品識別情報と保管庫を特定する情報と施錠情報とを含む保管データを作成する施錠時保管データ作成手段と、
前記作成した保管データを、携帯記憶媒体に、送信する保管データ送信手段と、
を備える保管庫である、
ことを特徴とするＩＣタグとＩＣカードを用いた貸出管理システム。
【請求項４】
保管品識別情報と保管庫を特定する情報と利用者識別情報と含む貸出データと、
保管品識別情報と保管庫を特定する情報と含み、開錠情報、または、施錠情報の一方を含む保管データと、
を用いるＩＣタグとＩＣカードを用いた貸出管理方法であって、
開錠要求の入力を受け付ける開錠要求受付ステップと、
保管品のＩＣタグが記憶するＩＣタグ識別情報を読み取るＩＣタグ読取ステップと、
前記読み取ったＩＣタグ識別情報を用いて、開錠情報を含む保管データを作成する開錠時保管データ作成ステップと、
受け付けた開錠要求を受け取って、開錠する開錠ステップと、
施錠要求の入力を受け付ける施錠要求受付ステップと、
受け付けた施錠要求を受け取って、施錠ステップと、
読み取ったＩＣタグ識別情報を用いて、施錠情報を含む保管データを作成する施錠時保管データ作成ステップと、
前記保持された保管データを用いて、貸出データを作成する貸出データ作成ステップと、
を含んだ手順でなされることを特徴とするＩＣタグとＩＣカードを用いた貸出管理方法。
【請求項５】
コンピュータに組込むことによって、コンピュータを請求項１から、請求項３に記載のＩＣタグとＩＣカードを用いた貸出管理システムとして動作させるコンピュータプログラム。
【請求項６】
請求項５に記載のコンピュータプログラムを記録したコンピュータ読取り可能な記録媒体。
【発明の詳細な説明】
【技術分野】
【０００１】
本発明は、ＩＣカードを用いて、保管場所にある保管品の貸し出し管理をするシステム、および、その方法に関するものである。
【０００２】
従来から、ＩＣタグを用いて、物品の貸出管理や返却管理が行われている。
【背景技術】
【０００３】
たとえば、特許文献１、および、特許文献２では、貸出物品にＩＣタグを付けて、貸出情報と返却情報を棚識別情報とともに、ホストコンピュータが管理する技術が開示されている。（従来技術１）
また、特許文献２では、ＩＣカードを用いて、利用者を認証して、保管場所の開錠をする技術が開示されている。（従来技術２）
【特許文献１】特開２００１−１０１２８５号公報（５ページ、図１０，１３）
【特許文献２】特開２００５−２９８１００号公報（７〜９ページ、図３，４、６，７）
【発明の開示】
【発明が解決しようとする課題】
【０００４】
ところで、従来技術１および、特許文献２では、ネットワーク構成をしないと貸出管理が行えないという欠点があった。また、従来技術２では、ＩＣカードの記録機能に、利用者の貸出情報を自らが保持していなために、ホストコンピュータに問合せしなければならないという不具合があった。
【０００５】
本発明はこのような従来技術を考慮してなされたものであって、本発明の課題は、簡便な貸出管理システム、および、その方法を提供することである。
【課題を解決するための手段】
【０００６】
本発明は、以下のような解決手段により、前記課題を解決する。すなわち、請求項１の発明は、携帯記憶媒体とＩＣタグを有する保管品を保持するＩＣカード開閉式保管庫とから構成されるＩＣタグとＩＣカードを用いた貸出管理システムであって、前記携帯記憶媒体は、保管品識別情報と保管庫を特定する情報と利用者識別情報と含む貸出データを、記憶する記憶手段と、ＩＣカード開閉式保管庫から、保管データを受信して、記憶手段に、保持する保管データ受信手段と、前記保持された保管データを用いて、貸出データを作成する貸出データ作成手段と、を備える記憶媒体であって、ＩＣカード開閉式保管庫は、開錠要求の入力を受け付ける開錠要求受付手段と、保管品のＩＣタグが記憶するＩＣタグ識別情報を読み取るＩＣタグ読取手段と、前記読み取ったＩＣタグ識別情報を用いて、保管品識別情報と保管庫を特定する情報と開錠情報とを含む保管データを作成する開錠時保管データ作成手段と、受け付けた開錠要求を受け取って、開錠する開錠手段と、施錠要求の入力を受け付ける施錠要求受付手段と、受け付けた施錠要求を受け取って、施錠手段と、読み取ったＩＣタグ識別情報を用いて、保管品識別情報と保管庫を特定する情報と施錠情報を含む保管データを作成する施錠時保管データ作成手段と、前記作成した保管データを、携帯記憶媒体に、送信する保管データ送信手段と、を備える保管庫である、ことを特徴とするＩＣタグとＩＣカードを用いた貸出管理システムである。
【０００７】
ここで、携帯記憶媒体が貸出データを作成して、記憶することが可能となる。
【０００８】
請求項２の発明は、携帯記憶媒体とＩＣタグを有する保管品を保持するＩＣカード開閉式保管庫とから構成されるＩＣタグとＩＣカードを用いた貸出管理システムであって、前記携帯記憶媒体は、保管品識別情報と保管庫を特定する情報と利用者識別情報と含む貸出データを、記憶する記憶手段と、ＩＣカード開閉式保管庫から、貸出データを受信して、記憶手段に、保持する貸出データ受信手段と、を備える記憶媒体であって、ＩＣカード開閉式保管庫は、保管品識別情報と保管庫を特定する情報と含み、開錠情報、または、施錠情報の一方を含む保管データを、記憶する記憶手段と、開錠要求の入力を受け付ける開錠要求受付手段と、保管品のＩＣタグが記憶するＩＣタグ識別情報を読み取るＩＣタグ読取手段と、読み取ったＩＣタグ識別情報を用いて、保管品識別情報と保管庫を特定する情報と開錠情報とを含む保管データを作成して、記憶手段に、保持する開錠時保管データ作成手段と、受け付けた開錠要求を受け取って、開錠する開錠手段と、施錠要求の入力を受け付ける施錠要求受付手段と、受け付けた施錠要求を受け取って、施錠する施錠手段と、読み取ったＩＣタグ識別情報を用いて、保管品識別情報と保管庫を特定する情報と施錠情報とを含む保管データを作成して、記憶手段に、保持する施錠時保管データ作成手段と、前記保持された保管データを用いて、貸出データを作成する貸出データ作成手段と、作成した貸出データを、携帯記憶媒体に、送信する貸出データ送信手段と、を備える保管庫である、ことを特徴とするＩＣタグとＩＣカードを用いた貸出管理システムである。
【０００９】
そこで、ＩＣカード開閉式保管庫が貸出データを作成して、携帯記憶媒体がこれを記憶することが可能となる。
【００１０】
請求項３の発明は、携帯記憶媒体とＩＣタグを有する保管品を保持するＩＣカード開閉式保管庫とから構成されるＩＣタグとＩＣカードを用いた貸出管理システムであって、前記携帯記憶媒体は、保管品識別情報と保管庫を特定する情報と含み、開錠情報、または、施錠情報の一方を含む保管データを、記憶する記憶手段と、ＩＣカード開閉式保管庫から、保管データを受信して、記憶手段に、保持する保管データ受信手段と、を備える記憶媒体であって、ＩＣカード開閉式保管庫は、開錠要求の入力を受け付ける開錠要求受付手段と、保管品のＩＣタグが記憶するＩＣタグ識別情報を読み取るＩＣタグ読取手段と、前記読み取ったＩＣタグ識別情報を用いて、保管品識別情報と保管庫を特定する情報と開錠情報とを含む保管データを作成する開錠時保管データ作成手段と、受け付けた開錠要求を受け取って、開錠する開錠手段と、施錠要求の入力を受け付ける施錠要求受付手段と、受け付けた施錠要求を受け取って、施錠手段と、読み取ったＩＣタグ識別情報を用いて、保管品識別情報と保管庫を特定する情報と施錠情報とを含む保管データを作成する施錠時保管データ作成手段と、前記作成した保管データを、携帯記憶媒体に、送信する保管データ送信手段と、を備える保管庫である、ことを特徴とするＩＣタグとＩＣカードを用いた貸出管理システムである。
【００１１】
請求項４の発明は、保管品識別情報と保管庫を特定する情報と利用者識別情報と含む貸出データと、保管品識別情報と保管庫を特定する情報と含み、開錠情報、または、施錠情報の一方を含む保管データと、を用いるＩＣタグとＩＣカードを用いた貸出管理方法であって、開錠要求の入力を受け付ける開錠要求受付ステップと、保管品のＩＣタグが記憶するＩＣタグ識別情報を読み取るＩＣタグ読取ステップと、前記読み取ったＩＣタグ識別情報を用いて、開錠情報を含む保管データを作成する開錠時保管データ作成ステップと、受け付けた開錠要求を受け取って、開錠する開錠ステップと、施錠要求の入力を受け付ける施錠要求受付ステップと、受け付けた施錠要求を受け取って、施錠ステップと、読み取ったＩＣタグ識別情報を用いて、施錠情報を含む保管データを作成する施錠時保管データ作成ステップと、前記保持された保管データを用いて、貸出データを作成する貸出データ作成ステップと、を含んだ手順でなされることを特徴とするＩＣタグとＩＣカードを用いた貸出管理方法である。
【００１２】
請求項５の発明は、コンピュータに組込むことによって、コンピュータを請求項１から、請求項３に記載のＩＣタグとＩＣカードを用いた貸出管理システムとして動作させるコンピュータプログラムである。
【００１３】
請求項６の発明は、請求項５に記載のコンピュータプログラムを記録したコンピュータ読取り可能な記録媒体である。
【発明の効果】
【００１４】
本願発明によれば、貸出情報を利用者自らが保持することが可能になり、したがって、ネットワーク構成をしなくても、貸出管理をすることが可能となる。
【発明を実施するための最良の形態】
【００１５】
（実施例）
以下、図面等を参照しながら、本発明の実施の形態について、更に詳しく説明する。
【００１６】
図１は、ＩＣタグとＩＣカードを用いた貸出管理システムの全体構成図である。ＩＣタグとＩＣカードを用いた貸出管理システム１は、携帯記憶媒体１００（たとえば、ＩＣカード）とＩＣカード開閉式保管庫３００とが、有線接続または、無線接続されて、構成される。
【００１７】
利用者識別媒体１００は、貸出データ１９５を記憶する。
【００１８】
貸出データ１９５は、保管庫から貸し出された保管品の識別情報を含むデータである。
【００１９】
ＩＣカード開閉式保管庫３００は、開錠情報、または、施錠情報の一方を含む保管データ３９９を記憶する。また、ＩＣカード開閉式保管庫３００は、ＩＣタグ７５０を持った保管品７００を保持する。ＩＣタグ７５０は、ＩＣタグ識別情報を記憶する。また、ＩＣカード開閉式保管庫３００は、利用者識別媒体読取書込装置を備える。
【００２０】
保管データ３９９は、保管庫が保持する保管品の保管品識別情報を含むデータである。なお、開錠情報を含む保管データ３９９は、開錠したときの保管庫の保管データ３９９である。同様に、施錠情報を含む施錠時保管データ３９９は、施錠したときの保管庫の保管データ３９９である。
【００２１】
図２は、ＩＣタグを持つ保管品の貸出管理システム１の大まかな処理の流れを説明する図である。ＩＣカード開閉式保管庫３００は、開錠要求の入力を受け付ける（図２（１））。
ＩＣカード開閉式保管庫３００は、保管品のＩＣタグが記憶するＩＣタグ識別情報を読み取る（同（２））。ＩＣカード開閉式保管庫３００は、前記読み取ったＩＣタグ識別情報を用いて、開錠情報を含む保管データを作成する（同（３））。ＩＣカード開閉式保管庫３００は、受け付けた開錠要求を受け取って、開錠する（同（４））。ＩＣカード開閉式保管庫３００は、前記作成した開錠情報を含む保管データ３９９を、携帯記憶媒体１００に、送信する（同（５））。
【００２２】
携帯記憶媒体１００は、ＩＣカード開閉式保管庫３００から、保管データ３９９を受信して、記憶手段に、保持する（同（６））。
【００２３】
ＩＣカード開閉式保管庫３００は、施錠要求の入力を受け付ける（同（１１））。ＩＣカード開閉式保管庫３００は、受け付けた施錠要求を受け取って、施錠する（同（１２））。ＩＣカード開閉式保管庫３００は、保管品のＩＣタグが記憶するＩＣタグ識別情報を読み取る（同（１３））。ＩＣカード開閉式保管庫３００は、読み取ったＩＣタグ識別情報を用いて、施錠情報を含む時保管データを作成する（同（１４））。ＩＣカード開閉式保管庫３００は、前記作成した施錠情報を含む保管データ３９９を、携帯記憶媒体１００に、送信する（同（１５））。
【００２４】
携帯記憶媒体１００は、ＩＣカード開閉式保管庫から、保管データ３９９を受信して、記憶手段に、保持する（同（１６））。
【００２５】
前記保持された開錠情報を含む保管データ３９９と施錠情報を含む保管データ３９９とを用いて、貸出データ１９５を作成する（同（２１））。
【００２６】
このように、携帯記憶媒体１００は、ＩＣカード開閉式保管庫３００を開錠したときの保管品７００の在庫情報と、ＩＣカード開閉式保管庫３００を施錠したときの保管品７００の在庫情報と、の差異から、貸出を特定して、貸出データ１９５を作成することができる。
【００２７】
なお、ＩＣカード開閉式保管庫３００が、開錠情報を含む保管データ３９９と施錠情報を含む保管データ３９９とを保持して、貸出データ１９５を作成して、携帯記憶媒体１００に送信してもよい。
【００２８】
携帯記憶媒体１００は、貸出データ１９５を記憶しているので、退場門（図示せず。）にて、携帯記憶媒体１００から、貸出データ１９５を読み出して、確認することで、禁帯出品の持ち出しを防止することができる。
【００２９】
携帯記憶媒体１００は、開錠情報を含む保管データ３９９と施錠情報を含む保管データ３９９とだけを保持してもよい。このときには、貸出データ作成装置（図示せず。）や、退場門（図示せず。）に、保管データ３９９を渡して、貸出データ１９５を、作成させればよい。
【００３０】
図３は、保管データ３９９の形式を説明する図である。保管データ３９９の項目は、種別と、保管品識別情報と、保管庫を特定する情報と、時刻情報と、から構成される。種別は、「開錠」、または、「施錠」が記録される。
保管品識別情報は、保管品を識別するユニークな文字列である。保管庫を特定する情報は、保管庫を特定する文字列である。利用者識別情報は、利用者を識別するユニークな文字列である。時刻情報は、保管品識別情報を読み取ったときの時刻である。
【００３１】
開錠情報を含む保管データ３９９とは、種別が「開錠」の保管データ３９９である。同様に、施錠情報を含む保管データ３９９とは、種別が「施錠」の保管データ３９９である。
【００３２】
図３には、開錠情報を含む保管データ３９９と施錠情報を含む保管データ３９９とが、例示されている。
【００３３】
たとえば、種別が「開錠」、保管品識別情報が、「PU49706-3」、保管庫を特定する情報が「HOKANNKO-001」、利用者識別情報が「ID123456」、時刻情報が「2006/04/20  15:20」である開錠情報を含む保管データ３９９が、例示されている。
【００３４】
また、種別が「施錠」、保管品識別情報が、「NF67487-4」、保管庫を特定する情報が「HOKANNKO-001」、利用者識別情報が「ID123456」、時刻情報が「2006/04/20  15:49」である施錠情報を含む保管データ３９９が、例示されている。
【００３５】
図４は、貸出データ１９５の形式と例を説明する図である。貸出データ１９５は、種別と、利用者識別情報と、保管庫を特定する情報と、保管品識別情報と、貸出時刻情報と、から構成される。種別は、「貸出」が記録される。利用者識別情報と、保管庫を特定する情報と、保管品識別情報と、は、図３の利用者識別情報と、保管庫を特定する情報と、保管品識別情報と、同じである。貸出時刻情報は、時刻である。
【００３６】
図４には、種別が「貸出」、保管庫を特定する情報が「HOKANNKO-001」、保管品識別情報が、「PU49706-3」、貸出時刻情報が「2006/04/20  15:21」である貸出データ１９５が、例示されている。
【００３７】
図５は、貸出データ１９５の作成手順を説明する図である。開錠情報を含む保管データ３９９と施錠情報を含む保管データ３９９とを、比較する（同（１））。施錠情報を含む保管データ３９９に存在しない保管品識別情報を用いて、貸出データ１９５を作成する（同（２））。
【００３８】
図５には、たとえば、種別が「貸出」、保管庫を特定する情報が「HOKANNKO-001」、保管品識別情報が、「PU49706-3」、貸出時刻情報が「2006/04/20  15:21」である貸出データ１９５が、例示されている。
【００３９】
また、種別が「貸出」、保管庫を特定する情報が「HOKANNKO-001」、保管品識別情報が、「NF67487-4」、貸出時刻情報が「2006/04/20  15:21」である貸出データ１９５が、例示されている。
【００４０】
図６は、ＩＣタグとＩＣカードを用いた貸出管理システム１の詳細な構成図である。ＩＣタグとＩＣカードを用いた貸出管理システム１は、利用者識別媒体１００（ＩＣカード）と、ＩＣタグ識別情報を記憶するＩＣタグを持った保管品を保持するＩＣカード開閉式保管庫３００と、が、有線接続または、無線接続されて、構成される。
【００４１】
利用者識別媒体１００は、貸出データ作成手段１１０と、保管データ受信手段１６０と、
記憶手段１９０と、を備える。記憶手段１９０は、貸出データ１９５と、保管データ３９９と、を、記憶する。
【００４２】
貸出データ１９５は、利用者識別情報と保管庫を特定する情報と保管品識別情報とを含むデータである。保管データ３９９は、保管品識別情報と保管庫を特定する情報と含み、開錠情報、または、施錠情報の一方を含むデータである。
【００４３】
保管データ受信手段１６０は、ＩＣカード開閉式保管庫から、保管データを受信して、記憶手段に、保持する。貸出データ作成手段１１０は、前記保持された保管データを用いて、貸出データを作成する。
【００４４】
ＩＣカード開閉式保管庫３００は、開錠要求受付手段３１０と、施錠要求受付手段３１５と、ＩＣタグ読取手段３２０と、保管データ作成手段３３０と、開錠手段３４０と、施錠手段３４５と、保管データ送信手段３６０と、記憶手段３９０と、を備える。記憶手段３９０は、保管データ３９９を記憶する。
【００４５】
開錠要求受付手段３１０は、開錠要求の入力を受け付ける。
【００４６】
ＩＣタグ読取手段３２０は、保管品のＩＣタグが記憶するＩＣタグ識別情報を読み取る。
【００４７】
開錠手段３４０は、前記受け付けた開錠要求を受け取って、開錠する。
【００４８】
保管データ作成手段３３０は、前記受け付けた開錠要求と前記読み取ったＩＣタグ識別情報を用いて、開錠情報を含む保管データを作成する。または、前記受け付けた施錠要求と前記読み取ったＩＣタグ識別情報を用いて、施錠情報を含む保管データを作成する。
【００４９】
施錠要求受付手段３１５は、施錠要求の入力を受け付ける。
【００５０】
施錠手段３４５は、前記受け付けた施錠要求を受け取って、施錠する。
【００５１】
保管データ送信手段３６０は、前記作成した保管データを、携帯記憶媒体に、送信する。
【００５２】
貸出データ作成手段１１０と、保管データ受信手段１６０と、開錠要求受付手段３１０と、施錠要求受付手段３１５と、ＩＣタグ読取手段３２０と、保管データ作成手段３３０と、開錠手段３４０と、施錠手段３４５と、保管データ送信手段３６０と、は、コンピュータプログラムである。貸出データ１９５と、保管データ３９９と、は、コンピュータプログラムが可読なデータである。記憶手段１９０と、記憶手段３９０と、は、メモリである。
【００５３】
以上詳しく説明したように、本願発明によれば、貸出情報を利用者自らが保持することが可能になり、したがって、ネットワーク構成をしなくても、貸出管理をすることが可能となった。
【図面の簡単な説明】
【００５４】
【図１】ＩＣタグとＩＣカードを用いた貸出管理システムの全体構成図
【図２】ＩＣタグとＩＣカードを用いた貸出管理システムの大まかな処理の流れ図
【図３】保管データの形式と例
【図４】貸出データの形式と例
【図５】貸出データの作成手順の説明図
【図６】ＩＣタグとＩＣカードを用いた貸出管理システムの詳細な構成図
【符号の説明】
【００５５】
１  ＩＣタグとＩＣカードを用いた貸出管理システム
１１０  貸出データ作成手段
１６０  保管データ受信手段
１９０  記憶手段
１９５  貸出データ
３１０  開錠要求受付手段
３１５  施錠要求受付手段
３２０  ＩＣタグ読取手段
３３０  保管データ作成手段
３４０  開錠手段
３４５  施錠手段
３６０  保管データ送信手段
３９０  記憶手段
３９９  保管データ
【図１】
2007302400.tif 000003
【図２】
2007302400.tif 000004
【図３】
2007302400.tif 000005
【図４】
2007302400.tif 000006
【図５】
2007302400.tif 000007
【図６】
2007302400.tif 000008